【手続補正書】
【提出日】平成30年1月9日(2018.1.9)
【手続補正１】
【補正対象書類名】特許請求の範囲
【補正対象項目名】全文
【補正方法】変更
【補正の内容】
【特許請求の範囲】
【請求項１】
組成物であって、
第１のポリマーと第２のポリマーとを有する繊維と、
第１の官能基で官能化された前記第１のポリマーと、
第２の官能基で官能化された前記第２のポリマーであって、前記第２の官能基が、前記第１の官能基と異なり、かつそれと相補的である、前記第２のポリマーと
を含み、前記第１のポリマーおよび前記第２のポリマーが、火炎への曝露時に架橋結合によって第３のポリマーを形成するように構成される、組成物。
【請求項２】
前記第３のポリマーが、前記第１のポリマーまたは前記第２のポリマーのいずれかよりも高い分子量を有する、請求項１に記載の組成物。
【請求項３】
前記第１の官能基および前記第２の官能基が、アミンと酸、アミンとエポキシド、アミンと無水物、アミンとイソシアネート、アミンとアルデヒド、アミンとハロゲン化アルキル、アミンとスルホン酸アルキル、アミンとチオール、エポキシドと無水物、エポキシドとヒドロキシル、およびエポキシドと酸の官能基の組み合わせから選択される、請求項１に記載の組成物。
【請求項４】
前記第１のポリマーが、エポキシ官能基を含有し、前記第２のポリマーが、ヒドロキシル官能基またはアミン官能基を含有する、請求項１に記載の組成物。
【請求項５】
前記第１の官能基および前記第２の官能基のうちの少なくとも一方が難燃剤を含む、請求項１に記載の組成物。
【請求項６】
前記難燃剤がリン化合物である、請求項５に記載の組成物。
【請求項７】
前記第１のポリマーまたは前記第２のポリマーうちの少なくとも一方がポリオレフィンであり、前記ポリオレフィンが水放出添加剤を含む、請求項１に記載の組成物。
【請求項８】
前記第１のポリマーまたは前記第２のポリマーのうちの少なくとも一方が、他方よりも低い融解点を有し、より低い融解点を有するポリマーが、反応性架橋剤を含有する、請求項１に記載の組成物。
【請求項９】
前記反応性架橋剤が、エポキシ変性９，１０−ジヒドロ−９−オキシ−１０−ホスファフェナントレン−１０−オキシド（ＤＯＰＯ）を含む、請求項８に記載の組成物。
【請求項１０】
織物であって、
第１の官能基で官能化された第１のポリマーの複数の第１の繊維と、
第２の官能基で官能化された第２のポリマーの複数の第２の繊維であって、前記第２の官能基が、前記第１の官能基と異なり、かつそれと相補的である、複数の第２の繊維と
を含み、前記第１のポリマーおよび前記第２のポリマーが、火炎への曝露時に架橋結合によって第３のポリマーを形成するように構成される、織物。
【請求項１１】
前記第１の繊維および前記第２の繊維が異なる、請求項１０に記載の織物。
【請求項１２】
前記第１の繊維が、ポリエチレンテレフタレート（ＰＥＴ）であり、前記第２の繊維が、ナイロンである、請求項１１に記載の織物。
【請求項１３】
前記第１の繊維および前記第２の繊維が同じである、請求項１０に記載の織物。
【請求項１４】
前記第１の繊維および前記第２の繊維がナイロンである、請求項１３に記載の織物。
【請求項１５】
前記第１の官能基および前記第２の官能基が、アミンと酸、アミンとエポキシド、アミンと無水物、アミンとイソシアネート、アミンとアルデヒド、アミンとハロゲン化アルキル、アミンとスルホン酸アルキル、アミンとチオール、エポキシドと無水物、エポキシドとヒドロキシル、およびエポキシドと酸の官能基の組み合わせから選択される、請求項１０に記載の織物。
【請求項１６】
前記第１の繊維が、前記第２の繊維に螺旋状に巻き付けられる、請求項１０に記載の織物。
【請求項１７】
前記第１の繊維が、前記第２の繊維と同じ方向に織られる、請求項１０に記載の織物。
【請求項１８】
前記第１の繊維が、前記第２の繊維に対して直交方向に織られる、請求項１０に記載の織物。
【請求項１９】
前記第１の繊維および第２の繊維が、２成分繊維を形成する、請求項１０に記載の織物。
【請求項２０】
複数の第３の繊維をさらに含む、請求項１０に記載の織物。
【請求項２１】
前記第３の繊維が、綿、レーヨン、羊毛、毛、絹、およびアラミドのうちの少なくとも１つを含む、請求項２０に記載の織物。
【請求項２２】
前記第３の繊維が、前記第１の繊維または前記第２の繊維のいずれかよりも高い融解温度を有する、請求項２０に記載の織物。
【請求項２３】
複数の金属繊維をさらに含む、請求項１０に記載の織物。
【請求項２４】
前記第１の官能基および前記第２の官能基のうちの少なくとも一方が難燃剤を含む、請求項１０に記載の織物。
【請求項２５】
前記難燃剤がリン化合物である、請求項２４に記載の織物。
【請求項２６】
前記第１の繊維または前記第２の繊維のうちの少なくとも一方がポリオレフィンであり、前記ポリオレフィンが水放出添加剤を含む、請求項１０に記載の織物。
【請求項２７】
前記第１の繊維または前記第２の繊維のうちの一方が、他方よりも低い融解点を有し、より低い融解点を有する繊維が、反応性架橋剤を含有する、請求項１０に記載の織物。
【請求項２８】
前記反応性架橋剤が、エポキシ変性９，１０−ジヒドロ−９−オキシ−１０−ホスファフェナントレン−１０−オキシド（ＤＯＰＯ）を含む、請求項２７に記載の織物。
【請求項２９】
複数の官能化ナノ粒子をさらに含む、請求項１０に記載の織物。
【請求項３０】
前記第１の繊維が、ナイロンを含み、ヒドロキシル官能基で官能化されたシリカナノ粒子を含み、前記第２の繊維が、ナイロンを含み、エポキシ官能基で官能化されたシリコンナノ粒子を含む、請求項１０に記載の織物。
【請求項３１】
前記第１の繊維および前記第２の繊維が、組み合わされたときに発泡体を生成する化学対を含有する、請求項１０に記載の織物。
【請求項３２】
難燃剤物品であって、
アンカー分子であって、前記アンカー分子がナノ粒子であり、前記ナノ粒子がエポキシ官能基、ヒドロキシル官能基、無水物官能基、カルボキシル官能基、スルフヒドリル官能基、エステル官能基、またはエーテル官能基のうちの少なくとも１つで官能化される、アンカー分子と、
共役体を形成する前記アンカー分子の反応性官能基に化学結合したリン酸系難燃剤と、
ポリマーマトリックスであって、前記共役体が前記ポリマーマトリックス中に分散される、ポリマーマトリックスと
を含む、難燃剤物品。
【請求項３３】
前記リン酸系難燃剤が、赤リン、ポリリン酸アンモニウム、トリスクロロプロピルホスフェート（ＴＣＣＰ）、ＤＯＰＯ（９，１０−ジヒドロ−９−オキサ−１０−ホスファフェナントレン−１０−オキシド）、および１，３−フェニレンメチルホスホネートのうちの少なくとも１つである、請求項３２に記載の難燃剤物品。
【請求項３４】
前記ナノ粒子が、剥離グラファイト、グラフェン、およびグラフェンオキシドのうちの少なくとも１つである、請求項３２に記載の難燃剤物品。
【請求項３５】
前記アンカー分子が、前記ナノ粒子の表面に化学結合した高分子をさらに含む、請求項３４に記載の難燃剤物品。
【請求項３６】
リン酸系難燃剤とアンカー分子の反応性官能基との反応生成物を含む、変性難燃剤。
【請求項３７】
前記アンカー分子が、ナノ粒子を含む、請求項３６に記載の変性難燃剤。
【手続補正２】
【補正対象書類名】明細書
【補正対象項目名】０００７
【補正方法】変更
【補正の内容】
【０００７】
したがって、改善された難燃性を示し、かつ火炎に曝露されたときに溶融滴下を低下させることができる繊維および織物ならびに他の物品を有することが望ましい。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許第４，１４７，７４１号明細書
（特許文献２）  米国特許出願公開第２００６／０２２３９２１号明細書
（特許文献３）  中国特許出願公開第１０３０７３７４９号明細書
（特許文献４）  米国特許出願公開第２００５／００１４８７５号明細書
（特許文献５）  米国特許出願公開第２００７／０１７６１５５号明細書
（特許文献６）  米国特許出願公開第２００２／００３５２３３号明細書
（特許文献７）  米国特許出願公開第２００６／００３５５５５号明細書
（特許文献８）  米国特許出願公開第２０１０／００７５５５７号明細書
（特許文献９）  米国特許出願公開第２０１２／０１０８７１０号明細書